(57)【要約】【課題】  ファクシミリ送信先の通信装置が、送信元の通信装置が期待する通信機能を持っていなかった場合にも、その通信装置が必要な通信機能を持てるようにして、その通信機能を使ったファクシミリ通信ができるようにする。【解決手段】  ファクシミリ装置１の通信制御手段１４が、ファクシミリ装置２とのネゴシエーション時、ファクシミリ装置２から受信機能力通知を受信すると、アップデート要否判定手段１５が、その受信機能力通知に基いてファクシミリ装置２に要求する通信機能を持っているか否かを判断し、持っていると判断した場合には、アップデート要求通知手段１６が、通信制御手段１４によってファクシミリ装置２に要求する通信機能を実行できるように通信機能のアップデートの要求を送信する。一方、ファクシミリ装置２のアップデート制御手段２７は、上記要求に応じて自機の通信機能をアップデートする。【選択図】        図１
2013168700.tif 000002
【特許請求の範囲】
【請求項１】
複数台が通信回線を介して互いに通信できるように接続可能な通信装置であって、
他の通信装置に対して発呼して、該通信装置との間でファクシミリ送受信をする送信側通信手段と、
該送信側通信手段によって前記他の通信装置へファクシミリ送信する際に行う通信設定時に、該他の通信装置から該通信装置が持っている通信機能を示す通信機能情報を受信する通信機能情報受信手段と、
該通信機能情報受信手段が受信した通信機能情報に基づいて、要求する通信機能を前記他の通信装置が持っているか否かを判断する判断手段と、
該判断手段が前記要求する通信機能を前記他の通信装置が持っていないと判断した場合は、前記送信側通信手段によって前記要求する通信機能を持つように通信機能をアップデートする要求を前記他の通信装置へ送信する要求送信手段とを有することを特徴とする通信装置。
【請求項２】
複数台が通信回線を介して互いに通信できるように接続可能な通信装置であって、
他の通信装置からの発呼に対して着呼して、該通信装置との間でファクシミリ送受信をする受信側通信手段と、
該受信側通信手段によって前記他の通信装置からファクシミリ受信する際に行う通信設定時に、自機が持っている通信機能を示す通信機能情報を前記他の通信装置へ送信する通信機能情報送信手段と、
前記受信側通信手段が前記他の通信装置から要求する通信機能を持つように通信機能をアップデートする要求を受信した場合に、該アップデートするためのプログラムデータを取得し、該プログラムデータを実行して要求された通信機能を持つように通信機能をアップデートする通信機能アップデート手段とを有することを特徴とする通信装置。
【請求項３】
請求項１に記載の通信装置において、
他の通信装置からの発呼に対して着呼して、該通信装置との間でファクシミリ送受信をする受信側通信手段と、
該受信側通信手段によって前記発呼した他の通信装置からファクシミリ受信する際に行う通信設定時に、自機が持っている通信機能を示す通信機能情報を該他の通信装置へ送信する通信機能情報送信手段と、
前記受信側通信手段が他の通信装置から要求する通信機能を持つように通信機能をアップデートする要求を受信した場合に、該アップデートするためのプログラムデータを取得し、該プログラムデータを実行して要求された通信機能を持つように通信機能をアップデートする通信機能アップデート手段とを有することを特徴とする通信装置。
【請求項４】
請求項１又は３に記載の通信装置において、
前記要求送信手段は、他の通信装置へ要求する通信機能を持つように通信機能をアップデートする要求と共に自機からのファクシミリ送信を識別する通信識別情報を、前記送信側通信手段によって送信する手段を有し、
該手段によって送信した前記通信識別情報と要求する通信機能の情報と他の通信装置へファクシミリ送信する画像データとを対応させて保存する画像保存手段と、
前記送信側通信手段が他の通信装置から通信識別情報を受信した場合に、前記画像保存手段から該受信した通信識別情報に対応する要求する通信機能の情報と該他の通信装置へファクシミリ送信する画像データとを検索し、該検索した通信機能の情報と画像データとを前記送信側通信手段によって該他の通信装置へファクシミリ送信する手段とを有することを特徴とする通信装置。
【請求項５】
請求項２又は３に記載の通信装置において、
前記受信側通信手段によって他の通信装置から要求する通信機能を持つように通信機能をアップデートする要求と共に該他の通信装置からのファクシミリ送信を識別する通信識別情報を受信した場合に、該通信識別情報を通信識別情報保存手段に保存し、前記受信側通信手段に該他の通信装置との通信を切断させる手段と、
前記通信機能アップデート手段によって通信機能をアップデートした後、前記受信側通信手段によって該アップデートを要求した他の通信装置に発呼し、前記通信識別情報保存手段に保存した前記通信識別情報を該他の通信装置へ送信する手段とを有することを特徴とする通信装置。
【請求項６】
請求項１、３又は４のいずれか一項に記載の通信装置において、
前記要求送信手段は、他の通信装置へ要求する通信機能を持つように通信機能をアップデートする要求と共に該アップデートするためのプログラムデータの取得場所情報を、前記送信側通信手段によって送信する手段を有することを特徴とする通信装置。
【請求項７】
請求項２、３又は５のいずれか一項に記載の通信装置において、
前記受信側通信手段は、他の通信装置から通信機能をアップデートする要求と共に該アップデートするためのプログラムデータの取得場所情報も受信する手段を有し、
前記通信機能アップデート手段は、前記受信した取得場所情報に基づいて前記通信機能をアップデートするためのプログラムデータを取得する手段を有することを特徴とする通信装置。
【請求項８】
請求項１、３又は４のいずれか一項に記載の通信装置において、
通信機能をアップデートするためのプログラムデータを記憶するプログラム記憶手段と、
前記送信側通信手段によって他の通信装置へファクシミリ送信する際に行う通信設定時に、通信機能をアップデートするためのプログラムデータの要求も受信した場合には、前記送信側通信手段によって該他の通信装置へ前記プログラム記憶手段に記憶されている前記プログラムデータを送信する手段とを有することを特徴とする通信装置。
【請求項９】
請求項２、３又は５のいずれか一項に記載の通信装置において、
前記受信側通信手段は、他の通信装置からファクシミリ受信する際に行う通信設定時に、通信機能をアップデートするためのプログラムデータの要求を該他の通信装置へ送信する手段を有し、
前記受信側通信手段は、他の通信装置から通信機能をアップデートする要求と共に該アップデートするためのプログラムデータを受信する手段を有し、
前記通信機能アップデート手段は、該受信したプログラムデータを実行して通信機能をアップデートする手段であることを特徴とする通信装置。
【請求項１０】
請求項２、３、５、７乃至９のいずれか一項に記載の通信装置において、
前記通信機能アップデート手段によって通信機能をアップデートしたことを通知する手段を有することを特徴とする通信装置。
【発明の詳細な説明】
【技術分野】
【０００１】
この発明は、複数台が通信回線を介して互いに通信できるように接続可能な通信装置に関する。
【背景技術】
【０００２】
上記のような通信装置として、ファクシミリ装置や、少なくともファクシミリ通信機能を有し、印刷機能又は複写機能等の複数種類の機能を備えた複合機等の画像形成装置を含む通信装置が多用されている。
このような通信装置としては、例えばファクシミリ装置では、通信時のネゴシエーション時に任意の情報を相手先のファクシミリ装置に伝えることができ、その情報によってファクシミリ装置において通常の送受信とは違った通信機能を実現させることができる。この仕組みを利用して、ファクシミリ装置の各ベンダー（製品取扱い業者）はベンダー独自の通信機能をファクシミリ装置に搭載している。
【０００３】
しかし、送信先のファクシミリ装置が、送信元のファクシミリ装置が期待する通信機能を持っていない場合には、その通信機能を使って送信先のファクシミリ装置とファクシミリ通信することができない。
そこで従来、宛先が複数指定された場合、テーブルに指定された宛先が登録されているときは受信画像幅フィールドを参照して、各宛先の受信画像幅が元文書の画像幅に対応しているか否かを判断し、全部または一部の宛先の受信画像幅が元文書の画像幅に対応していないときは、元文書にかかる画像の画像幅で送信用画像を生成すると共に、画像幅が対応していない宛先の受信画像幅に対応する幅で送信用画像を生成し、その画像を宛先情報と共に中継ファクシミリ装置に転送して他のファクシミリ装置に送信を行わせる通信装置（例えば、特許文献１参照）があった。
【発明の概要】
【発明が解決しようとする課題】
【０００４】
しかしながら、このような従来の通信装置ではやはり、ファクシミリ送信先の通信装置が、送信元の通信装置が期待する通信機能を持っていない場合には、その通信機能を使ったファクシミリ送信ができないという問題があった。
この発明は上記の点に鑑みてなされたものであり、ファクシミリ送信先の通信装置が、送信元の通信装置が期待する通信機能を持っていなかった場合にも、その通信装置が必要な通信機能を持てるようにして、その通信機能を使ったファクシミリ通信ができるようにすることを目的とする。
【課題を解決するための手段】
【０００５】
この発明は上記の目的を達成するため、複数台が通信回線を介して互いに通信できるように接続可能な通信装置であって、他の通信装置に対して発呼して、その通信装置との間でファクシミリ送受信をする送信側通信手段と、その送信側通信手段によって上記他の通信装置へファクシミリ送信する際に行う通信設定時に、上記他の通信装置からその通信装置が持っている通信機能を示す通信機能情報を受信する通信機能情報受信手段と、その通信機能情報受信手段が受信した通信機能情報に基づいて、要求する通信機能を上記他の通信装置が持っているか否かを判断する判断手段と、その判断手段が上記要求する通信機能を上記他の通信装置が持っていないと判断した場合は、上記送信側通信手段によって上記要求する通信機能を持つように通信機能をアップデートする要求を上記他の通信装置へ送信する要求送信手段とを有する通信装置を提供する。
【発明の効果】
【０００６】
この発明による通信装置は、ファクシミリ送信先の通信装置がその通信装置に要求したい通信機能を持っていない場合には、その通信装置との上記要求したい通信機能を使ってファクシミリ通信することができる。
【図面の簡単な説明】
【０００７】
【図１】図２に示したファクシミリ装置１と２の構成例を示すブロック図である。
【図２】この発明の一実施形態であるファクシミリ装置１と２を有する通信システムの構成例を示す図である。
【図３】図１に示したファクシミリ装置１がファクシミリ装置２へファクシミリ送信する場合の処理を示すフローチャート図である。
【図４】図１に示したファクシミリ装置２がファクシミリ装置１からファクシミリ受信する場合の処理を示すフローチャート図である。
【図５】図１に示したファクシミリ装置１がファクシミリ装置２に通信機能のアップデートを要求する場合にファクシミリ装置１と２とが行う通信のシーケンス図である。
【図６】図１に示したファクシミリ装置１がファクシミリ装置２に通信機能のアップデートを要求する場合にファクシミリ装置１と２とが行う他の通信例のシーケンス図である。
【図７】図１に示したファクシミリ装置１がファクシミリ装置２に通信機能のアップデートを要求する場合にファクシミリ装置１と２とが行うさらに他の通信例のシーケンス図である。
【図８】図１に示したファクシミリ装置１がファクシミリ装置２に通信機能のアップデートを要求しない場合にファクシミリ装置１と２とが行う通信のシーケンス図である。
【図９】図１に示したファクシミリ装置１がファクシミリ装置２に通信機能のアップデートを要求しない場合にファクシミリ装置１と２とが行う他の通信例のシーケンス図である。
【発明を実施するための形態】
【０００８】
以下、この発明を実施するための形態を図面に基づいて具体的に説明する。
図２は、この発明の一実施形態であるファクシミリ装置１と２を有する通信システムの構成例を示す図である。
この通信システムは、電話回線等の通信回線で実現される通信網４を介して互いに通信が可能な複数のファクシミリ装置１と２と、そのファクシミリ装置１と２の管理装置３とによって構成されている。
【０００９】
図２の通信システムのファクシミリ装置１と２は、それぞれが通信回線である通信網４を介して互いに通信できるように接続可能な通信装置であり、通信網４を介して互いにファクシミリ通信することができ、ファクシミリ装置１と２はこの発明に係る機能を備えている。
また、管理装置３は、ファクシミリ装置１と２の通信機能をアップデートさせるためのアップデート用のプログラムデータ（以下「アップデート用プログラム」ともいう）をファクシミリ装置１と２にそれぞれ提供すると共に、ファクシミリ装置１と２の動作状態も管理する機能を備えている。
【００１０】
上記通信機能には、例えば、次に示すものがある。
・誤り再送方式（Ｅｒｒｏｒ  Ｃｏｒｒｅｃｔｉｏｎ  Ｍｏｄｅ：ＥＣＭ）を使って画像データを送信する機能。
このＥＣＭは、送信側が画像データをフレーム単位で送り、画像データが通信の中で化けてしまった場合、受信側でそれを検知して送信側に再送要求を出せるような仕組みである。
・画像データを２値静止画画像圧縮符号化方式（Ｊｏｉｎｔ  Ｂｉ−ｌｅｖｅｌ  Ｉｍａｇｅ  ｅｘｐｅｒｔｓ  Ｇｒｏｕｐ：ＪＢＩＧ）で圧縮して送信する機能。
このＪＢＩＧは、Ｇ３ファクシミリ符号化方式の１つであり、Ｇ３ファクシミリを高速化する符号化方式である。
・ファインモード（Ｆｉｎｅモード）で画像データを送信する機能。例えば、画像データを３００×３００ピクセル（ｐｉｘｅｌ）／インチ（ｉｎｃｈ）で送信する機能。
【００１１】
なお、図２では、説明を簡単にするために、２台のファクシミリ装置１と２のみを図示し、そのファクシミリ装置１と２との間のファクシミリ送信の場合の機能と処理について説明する。しかしこの通信網４には、その他のファクシミリ装置や、ファクシミリ通信機能を備えたプリンタ、複写機、並びにそれらの機能を備えた複合機等の画像形成装置と、あるいはファクシミリ通信可能なパーソナルコンピュータ等の情報処理装置なども接続可能であり、それらの各装置とファクシミリ装置１と２を含む通信網４上の全ての任意の２つの装置間でファクシミリ通信をすることができる。
【００１２】
次に、図２に示したファクシミリ装置１と２の構成について説明する。
図１は、図２に示したファクシミリ装置１と２の構成例を示すブロック図である。
ファクシミリ装置１は、物理的構成として、制御部１０、通信部１１、操作表示部１２、及び印刷部１３を備えている。
一方、ファクシミリ装置２は、物理的構成として、制御部２０、通信部２１、操作表示部２２、及び印刷部２３を備えている。
【００１３】
ファクシミリ装置１は送信側の通信装置として、ファクシミリ装置２は受信側の通信装置として説明するため、対応する各部の符号を異ならせている。
しかし、このファクシミリ装置１の制御部１０、通信部１１、操作表示部１２、及び印刷部１３と、ファクシミリ装置２の制御部２０、通信部２１、操作表示部２２、及び印刷部２３はそれぞれ同じ機能を持つ。
そこで、以下の説明では、制御部１０、通信部１１、操作表示部１２、及び印刷部１３について詳細に説明し、上記制御部２０、通信部２１、操作表示部２２、及び印刷部２３については説明を簡単にする。
【００１４】
ファクシミリ装置１の制御部１０は、ＣＰＵ、ＲＯＭ及びＲＡＭ等からなるマイクロコンピュータによって実現され、ＲＯＭ又はＲＡＭに格納されたプログラムをＲＡＭを作業領域としてＣＰＵが各種の機能を実現する。
そのＣＰＵの処理によって実現される通信装置の機能部である制御部１０は、通信制御手段１４、アップデート要否判定手段１５、アップデート要求通知手段１６及びアップデート制御手段１７の各機能を有する。
【００１５】
通信制御手段１４は、通信部１１のファクシミリ通信を制御し、ファクシミリ装置２に発呼して、そのファクシミリ装置２との間のファクシミリ送受信を制御する送信側通信手段の機能を果たす。
また、ファクシミリ装置２からの発呼に対して着呼して、そのファクシミリ装置２との間のファクシミリ送受信を制御する受信側通信手段の機能も果たす。
【００１６】
さらに、通信制御手段１４は、通信部１１によってファクシミリ装置２へファクシミリ送信する際に行う通信設定であるネゴシエーション時に、ファクシミリ装置２からそのファクシミリ装置２が持っている通信機能を示す通信機能情報（受信機能力通知）を受信する制御と、通信部１１によってファクシミリ装置２からファクシミリ受信する際に行うネゴシエーション時に、自機であるファクシミリ装置１が持っている通信機能を示す通信機能情報（受信機能力通知）をファクシミリ装置２へ送信する制御もする。
すなわち、通信制御手段１４は、通信機能情報受信手段と通信機能情報送信手段の各機能も果たす。
上記通信機能は、例えば、ファクシミリ受信した画像データを指定した相手先へ転送する通信機能など様々ある。
【００１７】
また、通信制御手段１４は、ファクシミリ装置２へ要求する通信機能を持つように通信機能をアップデートする要求と共に、自機であるファクシミリ装置１からのファクシミリ送信を識別する通信識別情報（例えば、通信識別子）を通信部１１によって送信する制御と、通信部１１によってファクシミリ装置２から要求する通信機能を持つように通信機能をアップデートする要求と共に、そのファクシミリ装置２からのファクシミリ送信を識別する通信識別情報を受信した場合に、その通信識別情報を保存し、通信部１１にファクシミリ装置２との通信を切断させる制御もする。
すなわち、この通信制御手段１４は、その各制御をする手段と通信識別情報保存手段の各機能も果たす。
【００１８】
上記通信識別情報は、ファクシミリ装置１がファクシミリ装置２に対して要求する通信機能を使ってファクシミリ送信しようとしたファクシミリ通信を識別するための情報である。ファクシミリ装置２ではこの通信識別情報を保持することにより、通信機能のアップデート後にファクシミリ装置１にファクシミリ送信を再開させるときに送信すべき画像データ等を特定させることが出来る。
【００１９】
さらに、通信制御手段１４は、ファクシミリ装置２へ送信した通信識別情報と、ファクシミリ装置２に要求する通信機能の情報と、ファクシミリ装置２へファクシミリ送信する画像データとを対応させて保存する。
すなわち、通信制御手段１４は、画像保存手段の機能も果たす。
【００２０】
また、通信制御手段１４は、アップデート制御手段１７によって通信機能をアップデートした後、通信部１１によってそのアップデートを要求したファクシミリ装置２に発呼し、保存した通信識別情報をファクシミリ装置２へ送信する制御と、通信部１１がファクシミリ装置２から通信識別情報を受信した場合に、その受信した通信識別情報に対応する要求する通信機能の情報とファクシミリ装置２へファクシミリ送信する画像データとを検索し、その検索した通信機能の情報と画像データとを通信部１１によってファクシミリ装置２へファクシミリ送信する制御もする。
すなわち、この通信制御手段１４は、その各制御をする手段の各機能も果たす。
【００２１】
上記取得場所情報は、アップデートするためのプログラムデータの所在を示す情報であり、例えば、図２の管理装置３にアップデートするためのプログラムデータが保存されている場合、その管理装置３の通信網４上のアドレス情報である。
次に、アップデート要否判定手段１５は、通信部１１が受信した通信機能情報に基づいて、要求する通信機能をファクシミリ装置２が持っているか否かを判断する処理をする。
すなわち、このアップデート要否判定手段１５は判断手段の機能を果たす。
【００２２】
次に、アップデート要求通知手段１６は、アップデート要否判定手段１５が要求する通信機能をファクシミリ装置２が持っていないと判断した場合は、通信部１１によって要求する通信機能を持つように通信機能をアップデートする要求をファクシミリ装置２へ送信する制御をする。
また、ファクシミリ装置２へ要求する通信機能を持つように通信機能をアップデートする要求と共に、そのアップデートするためのプログラムデータの取得場所情報を、通信部１１によって送信する制御もする。
【００２３】
さらに、アップデート要求通知手段１６は、アップデートするためのプログラムデータを記憶し、通信部１１によってファクシミリ装置２へファクシミリ送信する際に行うネゴシエーション時に、通信機能をアップデートするためのプログラムデータの要求も受信した場合には、通信部１１によってファクシミリ装置２へ記憶されているプログラムデータを送信する制御もする。
すなわち、このアップデート要求通知手段１６は、要求送信手段とプログラム記憶手段と上記送信の制御を実現する手段の各機能を果たす。
【００２４】
また、上記アップデートするためのプログラムデータは、ファクシミリ装置２に要求する通信機能含むインストール用のプログラムデータであり、ファクシミリ装置２がそのプログラムデータを実行してインストール処理が実行されると、ファクシミリ装置２にファクシミリ装置１が要求する通信機能を新たに搭載することができる。
【００２５】
次に、アップデート制御手段１７は、通信部１１がファクシミリ装置２から要求する通信機能を持つように通信機能をアップデートする要求を受信した場合に、そのアップデートするためのプログラムデータを取得し、そのプログラムデータを実行して要求された通信機能を持つように通信機能をアップデートする制御をする。
また、通信部１１がファクシミリ装置２から要求する通信機能を持つように通信機能をアップデートする要求を受信した場合に、そのアップデートするためのプログラムデータを取得し、そのプログラムデータを実行して要求された通信機能を持つように通信機能をアップデートする制御もする。
【００２６】
さらに、通信部１１がファクシミリ装置２から取得場所情報を受信した場合には、その受信した取得場所情報に基づいてアップデートするためのプログラムデータを取得する制御もする。
さらにまた、通信部１１がファクシミリ装置２からアップデートするためのプログラムデータを受信した場合には、その受信したプログラムデータを実行して通信機能をアップデートする制御もする。
すなわち、このアップデート制御手段１７は、通信機能アップデート手段の機能を果たす。
【００２７】
次に、通信部１１は、通信網４とのインタフェース部であり、通信制御手段１４による制御によってファクシミリ通信を実行する。
この通信部１１は、ファクシミリ装置２に対して発呼して、そのファクシミリ装置２との間でファクシミリ送受信をする。
また、ファクシミリ装置２からの発呼に対して着呼して、そのファクシミリ装置２との間でファクシミリ送受信をする。
さらに、ファクシミリ装置２から通信機能をアップデートする要求と共に、そのアップデートするためのプログラムデータの取得場所情報も受信する。
【００２８】
また、ファクシミリ装置２からファクシミリ受信する際に行う通信設定時に、通信機能をアップデートするためのプログラムデータの要求をファクシミリ装置２へ送信する。
さらにまた、ファクシミリ装置２から通信機能をアップデートする要求と共に、そのアップデートするためのプログラムデータを受信する。
すなわち、この通信部１１も制御部１０の通信制御手段１４と共に、送信側通信手段と受信側通信手段の各機能を果たす。
【００２９】
操作表示部１２は、ユーザがファクシミリ装置１に対して各種の操作情報を入力する操作部と、ファクシミリ装置１がユーザに対して各種のメッセージを表示する表示部とを備えている。
印刷部１３は、ファクシミリ受信した画像データを印刷する。
【００３０】
上記制御部１０の制御により、操作表示部１２にアップデート手段１７によって通信機能をアップデートしたことを表示することができる。
また、印刷部１３によって通信機能をアップデートしたことを示すメッセージを印刷することができる。
さらに、制御部１０は通信機能をアップデートしたことを示すメールを作成し、通信制御手段１４を制御して通信部１１によって管理装置３へそのメールを送信することもできる。
すなわち、制御部１０、操作表示部１２、印刷部１３、及び通信制御手段１４は、アップデート手段１７によって通信機能をアップデートしたことを通知する手段の機能を果たす。
【００３１】
一方、ファクシミリ装置２の制御部２０、通信部２１、操作表示部２２、及び印刷部２３も、上述したファクシミリ装置１の制御部１０、通信部１１、操作表示部１２、及び印刷部１３とそれぞれ同じ機能を持っている。
【００３２】
ファクシミリ装置２の制御部２０の各手段の機能も、ファクシミリ装置１と同様に、ＣＰＵ、ＲＯＭ及びＲＡＭ等からなるマイクロコンピュータによって実現され、ＲＯＭ又はＲＡＭに格納されたプログラムをＲＡＭを作業領域としてＣＰＵが各種の機能を実現する。そのＣＰＵの処理によって実現される通信装置の機能部として、通信制御手段２４、アップデート要否判定手段２５、アップデート要求通知手段２６及びアップデート制御手段２７の各機能を有する。
【００３３】
これらの通信制御手段２４、アップデート要否判定手段２５、アップデート要求通知手段２６及びアップデート制御手段２７についても、上述したファクシミリ装置１の通信制御手段１４、アップデート要否判定手段１５、アップデート要求通知手段１６及びアップデート制御手段１７とそれぞれ同様の機能を果たす。
【００３４】
なお、この実施形態では、ファクシミリ装置１と２の双方共が送信側の通信装置と受信側の通信装置としての機能を備えた場合を説明するが、ファクシミリ装置１と２の一方が送信側の通信装置としての機能を有し、もう一方が受信側の通信装置としての機能を有する場合にもこの発明を実施することができる。
【００３５】
次に、ファクシミリ装置１とファクシミリ装置２との間のファクシミリ通信時の処理について説明する。
以下の説明では、ファクシミリ装置１を送信側の通信装置とし、ファクシミリ装置２を受信側の通信装置として説明する。
ファクシミリ装置２を送信側とし、ファクシミリ装置１を受信側にした場合でも同様な処理を実行することができるが、その説明は省略する。
まず、図１のファクシミリ装置１がファクシミリ装置２へファクシミリ送信する場合の処理を説明する。
図３は、図１のファクシミリ装置１がファクシミリ装置２へファクシミリ送信する場合の処理を示すフローチャート図である。
【００３６】
図１のファクシミリ装置１は、ファクシミリ装置２へ発呼してファクシミリ装置２との間のファクシミリ通信を開始すると、ステップ（図中「Ｓ」で示す）１のネゴシエーションで通信機能情報を受信し、ステップ２へ進む。
このステップ１の処理では、図１のファクシミリ装置１は、通信制御手段１４が、通信部１１を介してファクシミリ装置２との間でネゴシエーションを実行し、そのネゴシエーションでファクシミリ装置２から送信される通信機能情報を通信部１１を介して受信するとアップデート要否判定手段１５へ送る。
【００３７】
次に、ステップ２で、要求する通信機能を持っているか否かを判断し、持っていると判断した場合（Ｙの場合）はステップ３へ進み、持っていないと判断した場合（Ｎの場合）はステップ４へ進む。
このステップ２の判断処理では、アップデート要否判定手段１５が、通信制御手段１４から受け取ったファクシミリ装置２の通信機能情報を参照し、その通信機能情報にファクシミリ装置２に要求する通信機能が含まれていれば、ファクシミリ装置２は要求する通信機能を持っていると判断し、含まれていなければ要求する通信機能を持っていないと判断する。
【００３８】
そして、アップデート要否判定手段１５は、要求する通信機能を持っていると判断した場合（Ｙの場合）はアップデート要求通知手段１６へその判断結果を送り、持っていないと判断した場合（Ｎの場合）は通信制御手段１４に制御を移す。
ステップ３では、ファクシミリ送信時に要求する通信機能を指定して画像データをファクシミリ送信し、この処理を終了する。
このステップ３の処理では、通信制御手段１４が、引き続きファクシミリ装置２への通常のファクシミリ送信の処理を行い、ファクシミリ送信時に要求する通信機能を指定して画像データをファクシミリ装置２へファクシミリ送信する。
【００３９】
一方、ステップ４では、通信機能のアップデートの要求を送信し、ステップ５へ進む。
このステップ４の処理では、アップデート要求通知手段１６が、通信制御手段１４に対してアップデートの要求の送信の指示を出し、通信制御手段１４が、ファクシミリ装置２へ要求する通信機能を指定する指定情報を含む通信機能のアップデートの要求を送信する。
そして、ステップ５で、通信を切断し、この処理を終了する。このステップ５の処理では、通信制御手段１４が、通信部１１によるファクシミリ装置２からの通信切断要求に応じてファクシミリ装置２との通信を切断する。
【００４０】
このように、ファクシミリ装置１は、ファクシミリ装置２へ通信機能のアップデートの要求を送信した後には、ファクシミリ装置２との通信を切断することができるので、ファクシミリ通信を無駄に継続して通信費を浪費することを防止できる。
また、ファクシミリ装置１は、ファクシミリ装置２が要求された通信機能を実行できるように通信機能をアップデートした後には、要求する通信機能によるファクシミリ送信を確実に実行することができる。
【００４１】
次に、図１のファクシミリ装置２がファクシミリ装置１からファクシミリ受信する際の処理を説明する。
図４は、図１のファクシミリ装置２がファクシミリ装置１からファクシミリ受信する場合の処理を示すフローチャート図である。
【００４２】
図１のファクシミリ装置２は、ファクシミリ装置１からの発呼に着呼して、ファクシミリ装置１との間のファクシミリ通信を開始すると、ステップ（図中「Ｓ」で示す）１１のネゴシエーションで通信機能情報を送信し、ステップ１２へ進む。
このステップ１１の処理では、図１のファクシミリ装置２は、通信制御手段２４が、通信部２１を介してファクシミリ装置１との間でネゴシエーションを実行し、そのネゴシエーションでファクシミリ装置１へファクシミリ装置２が持っている通信機能の種類を示す情報である通信機能情報を送信する。
【００４３】
次に、ステップ１２で、通信機能のアップデートの要求を受信したか否かを判断し、受信したと判断した場合（Ｙの場合）はステップ１３へ進み、受信しなかったと判断した場合（Ｎの場合）はステップ１５へ進む。
このステップ１２の判断処理では、通信制御手段２４が、通信部２１によってファクシミリ装置１からの通信機能のアップデートの要求を受信した場合には、通信機能のアップデートの要求を受信したと判断して、アップデート制御手段２７にその判断結果を送る。
【００４４】
一方、通信制御手段２４は、通信部２１によってファクシミリ装置１からの通信機能のアップデートの要求を受信しなかった場合には、通信機能のアップデートの要求を受信しなかったと判断して、引き続きファクシミリ装置１からの通常のファクシミリ受信の処理を行う。
【００４５】
ステップ１３では、通信を切断し、ステップ１４へ進む。
このステップ１３の処理では、通信制御手段２４が、通信部２１によってファクシミリ装置１に通信切断要求を送り、ファクシミリ装置１とのファクシミリ通信を切断する。
ステップ１４では、通信機能をアップデートして、この処理を終了する。
このステップ１４の処理では、アップデート制御手段２７が、ファクシミリ装置１から受信した通信機能のアップデートの要求に基いて、その要求に含まれる通信機能を実行できるように自装置であるファクシミリ装置２の通信機能をアップデートする処理を実行する。
【００４６】
このアップデートの処理では、まず、ファクシミリ装置２がファクシミリ装置１から要求された通信機能を実行するためのアップデート用のプログラムデータを取得する。
その取得方法は、例えば、予め通信網４上の管理装置３が取得先であるとファクシミリ装置２に設定されている場合、管理装置３にアクセスして取得する。また、通信網４上の図示を省略した他の装置から取得してもよい。
さらに、ファクシミリ装置２が光ディスク等の記録媒体を読み書きする装置を備えている場合には、アップデート用のプログラムデータを記録した記録媒体を装着し、その記録媒体から読み出して取得することができる。
【００４７】
一方、ステップ１５では、要求された通信機能を使って画像データをファクシミリ受信し、この処理を終了する。
このステップ１５の処理では、通信制御手段２４が、引き続きファクシミリ装置１からの通常のファクシミリ受信の処理を行い、ファクシミリ送信時に要求された通信機能を実行して画像データをファクシミリ装置１からファクシミリ受信する。
【００４８】
次に、図１に示したファクシミリ装置１がファクシミリ装置２に通信機能のアップデートを要求する場合の互いの通信のシーケンスを説明する。
図５は、図１に示したファクシミリ装置１がファクシミリ装置２に通信機能のアップデートを要求する場合にファクシミリ装置１と２とが行う通信のシーケンス図である。
ステップ（図中「Ｓ」で示す）２１で、ファクシミリ装置１はファクシミリ装置２に発呼（ｄｉａｌｉｎｇ）する。この制御処理は、図１の通信制御手段１４が行う。
【００４９】
一方、ステップ２２で、ファクシミリ装置２はファクシミリ装置１からの発呼に着呼する着呼通知を送信する。この制御処理は、図１の通信制御手段２４が行う。また、上記着呼通知は被呼端末識別信号（ＣＥＤ）で送信する。
こうして、ファクシミリ装置１とファクシミリ装置２とは、ファクシミリ通信の際の通信設定であるネゴシエーションを開始する。
【００５０】
ネゴシエーションを開始すると、ステップ２３で、ファクシミリ装置２はファクシミリ装置１へ受信機能力通知を送信する。この制御処理は、図１の通信制御手段２４が行う。
また、上記受信機能力通知には、ファクシミリ装置２が持っている通信機能の種類を示す情報である通信機能情報を含んでいる。なお、上記受信機能力通知はデジタル識別信号（ＤＩＳ）＋非標準機能識別信号（ＮＳＦ）で送信する。
【００５１】
ファクシミリ装置１は、通信制御手段１４が通信部１１によって受信機能力通知を受信すると、それをアップデート要否判定手段１５へ送る。
そして、ステップ２４で、ファクシミリ装置１は通信機能有無判断をする。
このステップ２４では、アップデート要否判定手段１５が、通信機能有無判断処理により、ファクシミリ装置２から受信した受信機能力通知に基づいて、要求する通信機能をファクシミリ装置２が持っているか否かを判断する。
【００５２】
この判断で、ファクシミリ装置２が要求する通信機能を持っている場合はその通信機能を指定して通常のファクシミリ送信を引き続き実行する。
しかし、ここでは、ファクシミリ装置２に通信機能のアップデートを要求する場合を説明するので、その判断結果が要求する通信機能を持っていない場合とする。
【００５３】
ファクシミリ装置１のアップデート要否判定手段１５は、ファクシミリ装置２が要求する通信機能を持っていないとの判断結果をアップデート要求通知手段１６へ送る。
そして、ステップ２５で、ファクシミリ装置１は、ファクシミリ装置２に送信モード通知を送信する。
このステップ２５では、ファクシミリ装置１のアップデート要求通知手段１６が、通信部１１によってファクシミリ装置２に送信モード通知を送信する。
【００５４】
その送信モード通知には、通信機能のアップデート要求（ファクシミリ装置２に要求する通信機能の種類を示す情報も含む）、自機（ファクシミリ装置１）からのファクシミリ送信を識別する通信識別情報を含んでいる。
なお、この通信識別情報を非標準機能設定信号（ＮＳＳ）で送信する。
この通信識別情報により、ファクシミリ装置２は、通信機能のアップデート後にファクシミリ装置１に発呼した際、ファクシミリ装置１に自機（ファクシミリ装置２）に送信すべきファクシミリ送信を識別させることができる。
【００５５】
ステップ２６では、ファクシミリ装置２の通信制御手段２４が、ファクシミリ装置１から受信した通信識別情報を記憶し、アップデート制御手段２７に通信機能のアップデート要求を送る。通信識別情報の記憶先としては、例えば、制御部２０内の図示を省略したＲＡＭの予め決められた領域にするとよい。
ステップ２７では、ファクシミリ装置１の通信制御手段１４が通信情報を記憶する。この通信情報には、ファクシミリ装置２へ送信した通信識別情報と、通信機能指定情報と、画像データを含み、それぞれ対応させて記憶する。
【００５６】
上記通信機能指定情報は、ファクシミリ送信の際に使う通信機能の種類を指定する情報であり、上記画像データは、ファクシミリ送信する画像データである。その通信情報の記憶先としては、例えば、制御部１０内の図示を省略したＲＡＭの予め決められた領域にするとよい。
そして、ステップ２８で、ファクシミリ装置２の通信制御手段２４が、ファクシミリ装置１に通信切断を要求する。
一方のファクシミリ装置１は、その通信切断（ＤＣＮ）の要求に応じて通信を切断することにより、ファクシミリ装置１と２との間のファクシミリ通信が終了する。
【００５７】
次に、ステップ２９で、ファクシミリ装置２のアップデート制御手段２７は、自機の通信機能のアップデートを実施する。
このアップデートの処理は、ファクシミリ装置２のアップデート制御手段２７が、ファクシミリ装置１からアップデートの要求のあった通信機能について、その通信機能を実行できるようにするためのアップデート用プログラムであるプログラムデータを外部から取得し、そのプログラムデータに基づくインストール処理をファクシミリ装置２上で実行することにより、ファクシミリ装置２でファクシミリ装置１が要求する通信機能を実行可能にする。
【００５８】
上記アップデート用プログラムであるプログラムデータは、例えば、予め取得先が管理装置３と決められている場合、通信網４を介して管理装置３にアクセスして取得する。
このようにして、ファクシミリ装置１は、ファクシミリ装置２へファクシミリ送信する場合、ファクシミリ装置２が要求する通信機能を持っていない場合、ファクシミリ装置２に通信機能のアップデートを要求することができる。
したがって、ファクシミリ装置１は、次回のファクシミリ送信のときは、ファクシミリ装置２に要求する通信機能でファクシミリ送信をすることができる。
【００５９】
次に、ステップ３０で、ファクシミリ装置２の通信制御手段２４は、アップデート制御手段２７がアップデートをした後、通信部２１によってファクシミリ装置１へ発呼する。
一方、ステップ３１で、ファクシミリ装置１はファクシミリ装置２からの発呼に着呼する着呼通知を送信する。この制御処理は、図１の通信制御手段１４が行う。また、上記着呼通知は被呼端末識別信号（ＣＥＤ）で送信する。
こうして、ファクシミリ装置２からの発呼によってファクシミリ装置１にファクシミリ送信を開始させる。
【００６０】
また、ファクシミリ装置１とファクシミリ装置２とは、ファクシミリ通信の際の通信設定であるネゴシエーションを開始する。
ネゴシエーションを開始すると、ステップ３２で、ファクシミリ装置１はファクシミリ装置２へ受信機能力通知を送信する。この制御処理は、図１の通信制御手段１４が行う。
また、上記受信機能力通知には、ファクシミリ装置１が持っている通信機能の種類を示す情報である通信機能情報を含んでいる。なお、上記受信機能力通知はデジタル識別信号（ＤＩＳ）＋非標準機能識別信号（ＮＳＦ）で送信する。
【００６１】
そして、ステップ３３で、ファクシミリ装置２は、ファクシミリ装置１に送信モード通知を送信する。
このステップ３３では、ファクシミリ装置２の通信制御手段２４が、通信部２１によってファクシミリ装置１に送信モード通知を送信する。
その送信モード通知には、ファクシミリ装置１から先の通信にて受信して記憶した通信識別情報を含んでいる。なお、この通信識別情報を非標準機能設定信号（ＮＳＳ）で送信する。
さらに、ステップ３４で、ファクシミリ装置２もファクシミリ装置１へ受信機能力通知を送信する。この制御処理は、図１の通信制御手段２４が行う。
【００６２】
この受信機能力通知には、ファクシミリ装置２が持っている通信機能の種類を示す情報である通信機能情報を含んでおり、上述した通信機能のアップデートにより、ファクシミリ装置１が要求する通信機能も含まれている。なお、上記受信機能力通知はデジタル識別信号（ＤＩＳ）＋非標準機能識別信号（ＮＳＦ）で送信する。
ステップ３５で、ファクシミリ装置１の通信制御手段１４は通信情報を検索し、ファクシミリ装置２から受信した通信識別情報に対応する通信機能指定情報と画像データとを検索する。
【００６３】
この検索処理では、アップデート要求通知手段１６は、制御部１０のメモリに保存している通信識別情報、通信機能指定情報、及び画像データを含む通信情報の中からファクシミリ装置２から受信した通信識別情報に対応する通信機能指定情報、及び画像データを含む通信情報を検索する。
ステップ３６では、ファクシミリ装置１の通信制御手段１４が、通信部１１によってファクシミリ装置２へ送信モード通知を送信する。その送信モード通知には、上記検索した通信機能指定情報を含んでいる。
【００６４】
一方、ファクシミリ装置２の通信制御手段２４は、ファクシミリ装置１から送信モード通知で通信機能指定情報を受信すると、その通信機能指定情報が指定する通信機能を使ったファクシミリ受信の待機状態に移行する。
この通信機能指定情報により、ファクシミリ装置２は、ファクシミリ装置１からファクシミリ受信する際にファクシミリ装置１から指定された通信機能を動作させてファクシミリ受信することができる。
こうして、ファクシミリ通信におけるネゴシエーションフェーズを終了し、画像データの送信フェーズに移行する。
【００６５】
ステップ３７では、ファクシミリ装置１の通信制御手段１４が、通信部１１によって上記検索した画像データをファクシミリ装置２へ送信する。
このようにして、ファクシミリ装置１は、ファクシミリ装置２に通信機能のアップデートの要求をした後は、ファクシミリ装置２で通信機能のアップデートが完了し次第、ファクシミリ装置２の方からファクシミリ送信を再開するための発呼がされる。
したがって、ファクシミリ装置１が期待する通信機能でファクシミリ装置２へファクシミリ送信を再開することができる。
【００６６】
次に、図１に示したファクシミリ装置１がファクシミリ装置２に通信機能のアップデートを要求する場合、アップデート用のプログラムデータの取得場所情報を通知するようにしたときの互いの通信のシーケンスについて説明する。
図６は、図１に示したファクシミリ装置１がファクシミリ装置２に通信機能のアップデートを要求する場合にファクシミリ装置１と２とが行う他の通信例のシーケンス図である。
図６に示した処理については、図５で説明した処理と重複する部分があるので、図５の説明と異なる処理についてのみ詳しく説明し、図５と共通する処理についての説明は省略する。
【００６７】
図６のステップ４１〜４４、４７、４８、５０〜５７の処理は図５のステップ２１〜２４、２７、２８、３０〜３７の処理とそれぞれ同じであるから説明を省略する。
図６のステップ４５では、図１のファクシミリ装置１のアップデート要求通知手段１６が、送信モード通知によってファクシミリ装置２にアップデート要求と通信識別情報と共に、アップデート用プログラム（通信機能のアップデート用のプログラムデータ）の取得場所情報も含めて送信する点が上述の処理とは異なる。
【００６８】
この取得場所情報は、例えば、管理装置３のアドレス情報である。また、管理装置３に保存されているプログラムデータを識別する情報も含むようにすれば、その情報によって管理装置３から所望のプログラムデータを容易にダウンロードすることができる。
また、図６のステップ４６では、ファクシミリ装置２の通信制御手段２４が取得場所情報も記憶する点が異なる。この記憶先としては、例えば、制御部２０内の図示を省略したＲＡＭの予め決められた領域にするとよい。
【００６９】
さらに、ステップ４９では、ファクシミリ装置２のアップデート制御手段２７が、ファクシミリ装置１から受信したアップデート用プログラムの取得場所情報に基いてアップデート用プログラム（通信機能のアップデート用のプログラムデータ）を取得し、その取得したアップデート用プログラムによって自機の通信機能をアップデートする。
このようにして、ファクシミリ装置２は、ファクシミリ装置１が指定する取得場所からアップデート用プログラムを取得することができるので、アップデート用プログラムを探すための処理負担を軽減することができる。
【００７０】
次に、図１に示したファクシミリ装置１がファクシミリ装置２に通信機能のアップデートを要求する場合、アップデート用プログラムも送信するようにしたときの互いの通信のケンスについて説明する。
図７は、図１に示したファクシミリ装置１がファクシミリ装置２に通信機能のアップデートを要求する場合にファクシミリ装置１と２とが行うまた他の通信例のシーケンス図である。
【００７１】
図７に示した処理についても、図５で説明した処理と重複する部分があるので、図５の説明と異なる処理についてのみ詳しく説明し、図５と共通する処理についての説明は省略する。
まず、図７に示したシーケンスの処理を実行する場合、ファクシミリ装置２では、予めユーザが操作表示部２２からファクシミリ装置１にアップデート用プログラムを送信するように要求するための設定入力をしておく。
【００７２】
そして、ファクシミリ装置２の制御部２０のアップデート制御手段２７が、その設定入力に基いてファクシミリ装置１に対して通信機能のアップデートの要求のときにはそのアップデート用プログラムも送信するように要求するプログラム要求設定を通信時の手順にセットする。
一方、ファクシミリ装置１では、ファクシミリ装置２にアップデート用プログラムも提供するため、制御部１０のアップデート要求通知手段１６が、そのアップデート用プログラムを予め記憶している。
【００７３】
その記憶先としては、例えば、制御部１０の図示を省略したメモリにするとよい。このアップデート用プログラムは、ファクシミリ装置１の管理者がファクシミリ装置１に対して自由に登録することができる。その登録方法については、一般のプログラムデータの登録作業と同じなので説明を省略する。
【００７４】
図７のステップ６１、６２、６４〜６７、７１、７３〜８０の処理は図５のステップ２１、２２、２４〜２７、２８、３０〜３７の処理とそれぞれ同じであるから説明を省略する。
図７のステップ６３では、ファクシミリ装置２の通信制御手段２４が、受信機能力通知にプログラム要求情報も含めてファクシミリ装置１へ送信する点が異なる。
【００７５】
このプログラム要求情報は、通信機能をアップデートするためのプログラムデータの要求であり、この場合、ファクシミリ装置１が要求する通信機能を実行できるようにするためのプログラムデータを要求することを示す情報である。
また、ステップ６８では、ファクシミリ装置１のアップデート要求通知手段１６が、ファクシミリ装置２とのネゴシエーションにおいて、プログラム要求情報を受信したことを通信制御手段１４から受け取った場合、ファクシミリ装置２に通信機能のアップデートを要求するときに、自機に記憶しているアップデート用プログラムを画像データに代えて送信する。
【００７６】
一方、ファクシミリ装置２では、通信制御手段２４が受信した上記アップデート用プログラムを、例えば、制御部２０の図示を省略したＲＡＭの所定の記憶領域に記憶する。また、その記憶場所の情報をアップデート制御手段２７に通知する。したがって、アップデート制御手段２７は、その記憶場所の情報に基づいて、自機の通信機能のアップデートの際には、そのアップデートに使用するプログラムデータとして上記アップデート用プログラムを読み出して使用することができる。
【００７７】
ステップ６９と７０は、ファクシミリ装置１と２とで上記アップデート用プログラムが正常に送信又は受信できたことをそれぞれ確認するための通常の通信手順であり、ステップ６９では、ファクシミリ装置１の通信制御手段１４が、アップデート用プログラムの送信に異常がなかったことを確認した後、正常に送信できたことを通知する。この通知は、手順終了信号（ＥＯＰ）で送信する。
【００７８】
一方、ステップ７０では、ファクシミリ装置２の通信制御手段２４が、アップデート用プログラムの受信に異常がなかったことを確認した後、正常に受信できたことを通知する。この通知は、メッセージ確認信号（ＭＣＦ）で送信する。
こうして、ファクシミリ装置１にアップデート用プログラムが保持されている場合、ファクシミリ装置２からの要求に応じてファクシミリ装置２へ提供することができるので、ファクシミリ装置２におけるアップデート用プログラムの取得処理を軽減することができる。
【００７９】
そして、ステップ７２では、ファクシミリ装置２のアップデート制御手段２７が、ファクシミリ装置１から受信したアップデート用プログラムを使って通信機能のアップデートを実施する点が上述の処理とは異なる。
こうして、ファクシミリ装置２が、ファクシミリ装置１が要求する通信機能にアップデートされる。なお、ファクシミリ装置２の通信機能のバージョンを最新版にする場合も上述の処理によって実行することができる。
【００８０】
このようにして、ファクシミリ装置１からファクシミリ装置２へアップデート用プログラムを提供するので、ファクシミリ装置２がアップデート用プログラムを確実に取得することができる。したがって、ファクシミリ装置２がアップデート用プログラムの取得先にアクセスできない場合に、ファクシミリ装置２がアップデートできないという不具合を起こさずに済む。
【００８１】
ところで、図５から図７で説明した各処理において、ファクシミリ装置２は自機の通信機能をアップデートしたことについて所定の通知処理を行うようにするとよい。
例えば、ファクシミリ装置２のユーザに対して通知するようにすれば、ファクシミリ装置２のユーザは新たな通信機能を使用できることを知ることができて便利である。
【００８２】
この場合、図５〜図７で説明した処理において、ファクシミリ装置２は、通信機能のアップデートを実施（図５のＳ２９、図６のＳ４９、図７のＳ７２）した後、制御部２０が、操作表示部２２に通信機能がアップデートされたことを示すメッセージを表示する。
その際、そのアップデートされた内容として、新たに使用できるようにした通信機能の種類やその内容の説明のメッセージも併せて表示するようにすればユーザへの利便性を高めることができる。
【００８３】
また、制御部２０の制御処理により、上記メッセージをまとめた文書をユーザへのレポートとして印刷部２３に印刷させるようにすることもできる。
このようにして、ファクシミリ装置２のユーザ及び管理者にファクシミリ装置２の通信機能がアップデートしたことを知らせることができる。
【００８４】
さらに、ファクシミリ装置２を遠隔管理する管理装置３へメールで通知することもできる。この場合、図５〜図７で説明した処理において、ファクシミリ装置２は、アップデートを実施（図５のＳ２９、図６のＳ４９、図７のＳ７２）した後、制御部２０のアップデート制御手段２７は、管理装置３を宛先とするメールを作成し、そのメールの内容に、通信機能がアップデートされたことを示すメッセージと、その通信機能の種類やその内容の説明のメッセージを含めるよい。
【００８５】
そして、通信制御手段２４にそのメールを送信するように依頼する。すると、通信制御手段２４が、通信部２１によって通信網４へ上記メールを送信し、管理装置３が通信網４上から上記メールを受信する。
このようにして、ファクシミリ装置２の近くにいない管理者にファクシミリ装置２が新たな機能を搭載してアップデートしたことを知らせることができる。
【００８６】
上述の各処理は、ファクシミリ装置２の通信機能をアップデートする場合の処理について説明したが、ファクシミリ装置２によっては通信機能をアップデートできない場合や、ファクシミリ装置２の利用者の都合によって通信機能のアップデートを実施させたくない場合もある。
そこで、ファクシミリ装置２で、ファクシミリ装置１からの通信機能のアップデートの要求をさせないようにする場合の処理についても説明する。
この処理を実行する場合、ファクシミリ装置２では、ファクシミリ装置１から要求された通信機能にアップデートする能力の有無を示す情報を、ファクシミリ装置１とのネゴシエーションで送信する。
【００８７】
図８は、図１に示したファクシミリ装置１がファクシミリ装置２に通信機能のアップデートを要求しない場合に、ファクシミリ装置１と２とが行う通信のシーケンス図である。
図１のファクシミリ装置１は、ファクシミリ装置２へファクシミリ送信する場合、図８のステップ９１で、制御部１０の通信制御手段１４が通信部１１を制御し、ファクシミリ装置２に発呼（ｄｉａｌｉｎｇ）を送信する。
【００８８】
ファクシミリ装置２の通信制御手段２４は通信部２１によって上記発呼を着呼すると、ステップ９２で、ファクシミリ装置２はファクシミリ装置１へ着呼通知を送信する。この着呼通知は被呼端末識別信号（ＣＥＤ）で送信する。その後、ファクシミリ装置１の通信制御手段１４とファクシミリ装置２の通信制御手段２４は互いにファクシミリ通信のための設定通信であるネゴシエーションをする。
ステップ９３では、上記ネゴシエーションにおいて、ファクシミリ装置２の通信制御手段２４が、ファクシミリ装置１に受信機能力通知を送信する。
【００８９】
この受信機能力通知には、ファクシミリ装置２が持っている通信機能の種類を示す一覧の情報である上述した機能情報を含んでいる。また、この機能情報には、ファクシミリ装置２がファクシミリ装置１から要求された通信機能のアップデートをするアップデート能力の有無を示す情報も含まれている。この受信機能力通知を、デジタル識別信号（ＤＩＳ）＋非標準機能識別信号（ＮＳＦ）で送信する。
ファクシミリ装置１の通信制御手段１４は、通信部１１によって受信機能力通知を受信すると、それをアップデート要否判定手段１５へ送る。
【００９０】
そして、ステップ９４では、ファクシミリ装置１は、通信機能有無判断とアップデート能力の有無を判断する。
この通信機能有無判断は、図１のアップデート要否判定手段１５における判断処理であり、ファクシミリ装置２から受信した受信機能力通知に基いて、ファクシミリ装置１がファクシミリ装置２に要求する通信機能をファクシミリ装置２が持っているか否かを判断する。
【００９１】
この通信機能有無判断において、ファクシミリ装置１がファクシミリ装置２に要求する通信機能をファクシミリ装置２が持っていない場合、引き続きアップデート能力の有無の判断を実行する。このアップデート能力の有無の判断において、アップデート能力の有を示す情報を受信していればアップデート能力有りと判断し、アップデート能力の無を示す情報を受信していればアップデート能力無しと判断する。
そして、図１のアップデート要否判定手段１５は、その判断結果をアップデート要求通知手段１６へ送る。
【００９２】
ファクシミリ装置１のアップデート要求通知手段１６は、ファクシミリ装置２がアップデート能力有りの場合、上述したようにしてファクシミリ装置２に機能のアップデートを要求して所望の機能を搭載するようにアップデートさせる。
しかし、ファクシミリ装置２がアップデート能力無しの場合、ステップ９５で、ファクシミリ装置１は、アップデート要求通知手段１６が、通信制御手段１４に通信切断の指示を出し、通信制御手段１４が通信部１１を介してファクシミリ装置２との通信切断（ＤＣＮ）を送信する。
【００９３】
こうして、ファクシミリ装置１は、ファクシミリ装置２からの通信切断を受信すると、ファクシミリ装置２へのファクシミリ送信を終了する。
このようにして、ネゴシエーションのフェーズで通信を切断することにより、ファクシミリ装置２との不要な通信を避けられ、通信コストの低減を図ることができる。
【００９４】
また、次のようにしても、ファクシミリ装置１側からファクシミリ装置２に通信機能のアップデートの要求をしないようにすることができる。
図９は、図１に示したファクシミリ装置１がファクシミリ装置２に通信機能のアップデートを要求しない場合に、ファクシミリ装置１と２とが行う他の通信例のシーケンス図である。
【００９５】
図９に示すシーケンスの処理を実行する場合、ファクシミリ装置２では、予めユーザが操作表示部２２から設定入力をしておく。
その設定入力とは、ファクシミリ装置１に対して通信機能のアップデートの要求を拒否することを示す自動アップデート拒否情報を送信する設定である。
【００９６】
そして、制御部２０のアップデート制御手段２７が、その設定入力に基いてファクシミリ装置１に対して自動アップデート拒否情報を送信する設定を制御部２０に対して行う。
ファクシミリ装置２では、その設定に基いて、ファクシミリ装置１とのネゴシエーションでファクシミリ装置１へ自動アップデート拒否情報を送信する。
【００９７】
図９のステップ１０１では、図１のファクシミリ装置１は、ファクシミリ装置２へファクシミリ送信する場合、制御部１０の通信制御手段１４が通信部１１を制御し、ファクシミリ装置２に発呼（ｄｉａｌｉｎｇ）を送信する。
【００９８】
ステップ１０２では、ファクシミリ装置２の通信制御手段２４は通信部２１によって上記発呼を着呼すると、ファクシミリ装置１へ着呼通知を送信する。
この着呼通知は被呼端末識別信号（ＣＥＤ）で送信する。その後、ファクシミリ装置１の通信制御手段１４とファクシミリ装置２の通信制御手段２４は互いにファクシミリ通信のための設定通信であるネゴシエーションをする。
このネゴシエーションにおいて、ステップ１０３で、ファクシミリ装置２の通信制御手段２４は、ファクシミリ装置１に受信機能力通知を送信する。
【００９９】
この受信機能力通知には、ファクシミリ装置２が持っている通信機能の種類を示す一覧の情報である上述した通信機能情報を含んでいる。
また、この通信機能情報には、自動アップデート拒否情報も含まれている。この受信機能力通知を、デジタル識別信号（ＤＩＳ）＋非標準機能識別信号（ＮＳＦ）で送信する。
ファクシミリ装置１の通信制御手段１４は、通信部１１によって受信機能力通知を受信すると、それをアップデート要否判定手段１５へ送る。
そして、ファクシミリ装置１は、ステップ１０４で通信機能有無判断と自動アップデート拒否か否かを判断する。
【０１００】
この通信機能有無判断は、図１のアップデート要否判定手段１５における判断処理であり、ファクシミリ装置２から受信した受信機能力通知に基いて、ファクシミリ装置２が要求する通信機能を持っているか否かを判断する。
この通信機能有無判断において、ファクシミリ装置１は、ファクシミリ装置２が要求する通信機能を持っている場合、引き続き自動アップデート拒否か否かを判断する。
【０１０１】
この自動アップデート拒否か否かの判断において、自動アップデート拒否情報を受信していなければ自動アップデート可能と判断し、自動アップデート拒否情報を受信していれば自動アップデート不可と判断する。
そして、図１のアップデート要否判定手段１５は、その判断結果をアップデート要求通知手段１６へ送る。
ファクシミリ装置１のアップデート要求通知手段１６は、ファクシミリ装置２が自動アップデート可能の場合、上述したようにしてファクシミリ装置２に通信機能のアップデートを要求して通信機能をアップデートさせる。
【０１０２】
しかし、ファクシミリ装置１のアップデート要求通知手段１６は、ファクシミリ装置２が自動アップデート不可の場合、通信制御手段１４に通信切断の指示を出し、通信制御手段１４は通信部１１を介して、ステップ１０５で、ファクシミリ装置２との通信切断（ＤＣＮ）を送信する。
【０１０３】
こうして、ファクシミリ装置１は、ファクシミリ装置２から通信切断を受信すると、ファクシミリ装置２へのファクシミリ送信を終了する。
このようにして、ネゴシエーションのフェーズで通信を切断することにより、ファクシミリ装置２との不要な通信を避けられる。
したがって、ファクシミリ装置２ではファクシミリ装置１によって勝手にアップデートされてしまうことを避けることができる。
【０１０４】
以上で実施形態の説明を終了するが、この発明において、各部の具体的な構成、処理の内容、データの形式等は、実施形態で説明したものに限るものではない。
また、上述の実施形態では、この発明をファクシミリ装置に適用した例について説明した。しかし、この発明は、少なくともファクシミリ通信機能を備えたものならば、任意の印刷機能又は複写機能等の複数の機能を備えた複合機を含む画像形成装置にも適用可能である。
また、以上説明してきた実施形態の構成は、相互に矛盾しない限り任意に組み合わせて実施可能であることは勿論である。
【符号の説明】
【０１０５】
１、２：ファクシミリ装置    ３：管理装置    ４：通信網    １０、２０：制御部    １１、２１：通信部    １２、２２：操作表示部    １３、２３：印刷部    １４、２４：通信制御手段    １５、２５：アップデート要否判定手段    １６、２６：アップデート要求通知手段    １７、２７：アップデート制御手段
【先行技術文献】
【特許文献】
【０１０６】
【特許文献１】特開２００３−３４８３０９号公報
【図１】
2013168700.tif 000003
【図２】
2013168700.tif 000004
【図３】
2013168700.tif 000005
【図４】
2013168700.tif 000006
【図５】
2013168700.tif 000007
【図６】
2013168700.tif 000008
【図７】
2013168700.tif 000009
【図８】
2013168700.tif 000010
【図９】
2013168700.tif 000011